(57)【特許請求の範囲】
【請求項１】
それ自体の下部に係合部が形成された有天筒状の上側筒状体と、それ自体の上部に上記係合部と進退自在に係合する被係合部が形成された有底筒状の下側筒状体とを備え、上記上側筒状体の内部に混合物吐出手段を配設するとともに、この混合物吐出手段より下側位置で上記上側筒状体の内部を破断可能な上側シート材で閉塞して、この上側シート材上に第１成分を収容し、上記下側筒状体の底壁から混合物吸い上げ用の筒状部を立設するとともに、この筒状部の上側位置で上記下側筒状体の内部を破断可能な下側シート材で閉塞して、この下側シート材下に第２成分を収容し、上記上側筒状体の係合部を下側筒状体の被係合部に係合させた状態で上側筒状体に対して下側筒状体を相対的に進入させることにより、上記両筒状体の少なくとも一方に設けた破断手段で上記両シート材を破断し、上記上側筒状体内の第１成分を流出させて下側筒状体内に流入させるとともに、上記混合物吐出手段の吸い上げ口部に上記筒状部の上端開口部を連結させるように構成した特徴とする二成分混合容器。
【請求項２】
上記係合部がねじ部で、上記被係合部が、上記ねじ部にら合するねじ部である請求項１記載の二成分混合容器。
【請求項３】
上記両筒状体の間にストッパーが固定されている請求項１または２記載の二成分混合容器。
【発明の詳細な説明】
【技術分野】
【０００１】
本発明は、二成分を混合して得られる化粧料等の上記二成分をそれぞれ隔離状態で収容し、使用時等に混合することのできる二成分混合容器に関するものである。
【背景技術】
【０００２】
従来から、化粧料，整髪料，飲料等として様々なものが開発されて市場に出回っているが、そのなかで、美容成分，栄養成分等が含有される粉末や錠剤を液状化粧料，飲料等に混合して使用するものがある。ところが、このものでは、粉末等を予め液状化粧料等に混合させていると、美容成分や栄養成分の化学変化等によりその効力が失われてしまうという問題がある。このため、未使用時には粉末等と液状化粧料等とを別々に隔離した状態にして収容し、使用の際に、両者を混合して使用することが必要になる。
【０００３】
そこで、粉末等と液状化粧料等とを別々に隔離した状態で収容し、使用時にそれらを混合して使用することができる容器として、図１３に示すような二成分混合容器が提案されている。この二成分混合容器は、有天円筒状に形成されその天井壁からノズル部５１ａが突設された上側容器５１と、この上側容器５１の下端開口部に着脱自在に固定される有底円筒状の下側容器５２と、上記上側容器５１のノズル部５１ａを蓋するキャップ５３とを備えている。また、上記下側容器５２が、内部に液体化粧料５４が収容された有底円筒状のエッセンス容器５５と、このエッセンス容器５５の上端開口部に固定される円筒状のパウダー容器５６とで構成されており、このパウダー容器５６内に、内部に粉末５７が収容された有底円筒状のパウダー収容部５６ａが配設されており、上記パウダー容器５６およびパウダー収容部５６ａの上端開口部にシール材５８が剥離可能に接着されている（例えば、特許文献１参照）。
【０００４】
そして、使用時には、まず、上側容器５１を下側容器５２から取り外し、ついで、この下側容器５２の上端開口部からシール材５８を手指で摘んで剥がし、つぎに、下側容器５２に、キャップ５３でノズル部５１ａを蓋した上側容器５１を取り付け、その状態で上側容器５１，下側容器５２を逆さにして上側容器５１内の液体化粧料５４とパウダー収容部５６ａ内の粉末５７とを下側容器５２内に流入させて（図１４参照）ここで混合させる。この混合ののち、キャップ５３をノズル部５１ａから取り外し、上側容器５１，下側容器５２を所定の下向き角度に傾けて上側容器５１の胴部を手指で押圧し、ノズル部５１ａから混合液を吐出させることを行う。
【特許文献１】特開平１０−４２９４４号公報
【発明の開示】
【発明が解決しようとする課題】
【０００５】
しかしながら、上記の二成分混合容器では、エッセンス容器５５内の液体化粧料５４とパウダー収容部５６ａ内の粉末５７とを混合させる際には、下側容器５２の上端開口部からシール材５８を手指で摘んで剥がしたのち下側容器５２に上側容器５１を取り付け、その状態で上側容器５１，下側容器５２を逆さにしなければならず、この操作が難しくて判りにくいという問題がある。しかも、シール材５８を下側容器５２の上端開口部から手指で摘んで剥がすのに、大きな力を必要とし、また、場合によってはシール材５８を下側容器５２の上端開口部から完全に剥がすことができないという問題がある。しかも、エッセンス容器５５内に液体化粧料５４を収容し、パウダー容器５６内に粉末５７を収容した状態で、これらパウダー容器５６，パウダー収容部５６ａの上端開口部にシール材５８を接着しているため、下側容器５２として、所定の液体化粧料５４と所定の粉末５７とを組み合わせた一種類のものしか、予め用意しておくことができないという問題もある。
【０００６】
本発明は、このような事情に鑑みなされたもので、混合時の操作が簡単で、使用時に小さな力で確実に開栓することができ、しかも、多種類の成分を適宜組み合わせることのできる二成分混合容器の提供をその目的とする。
【課題を解決するための手段】
【０００７】
上記の目的を達成するため、本発明の二成分混合容器は、それ自体の下部に係合部が形成された有天筒状の上側筒状体と、それ自体の上部に上記係合部と進退自在に係合する被係合部が形成された有底筒状の下側筒状体とを備え、上記上側筒状体の内部に混合物吐出手段を配設するとともに、この混合物吐出手段より下側位置で上記上側筒状体の内部を破断可能な上側シート材で閉塞して、この上側シート材上に第１成分を収容し、上記下側筒状体の底壁から混合物吸い上げ用の筒状部を立設するとともに、この筒状部の上側位置で上記下側筒状体の内部を破断可能な下側シート材で閉塞して、この下側シート材下に第２成分を収容し、上記上側筒状体の係合部を下側筒状体の被係合部に係合させた状態で上側筒状体に対して下側筒状体を相対的に進入させることにより、上記両筒状体の少なくとも一方に設けた破断手段で上記両シート材を破断し、上記上側筒状体内の第１成分を流出させて下側筒状体内に流入させるとともに、上記混合物吐出手段の吸い上げ口部に上記筒状部の上端開口部を連結させるように構成したという構成をとる。
【発明の効果】
【０００８】
すなわち、本発明の二成分混合容器は、それ自体の下部に係合部が形成された有天筒状の上側筒状体と、それ自体の上部に上記係合部と進退自在に係合する被係合部が形成された有底筒状の下側筒状体とを備えている。また、上記上側筒状体の内部に混合物吐出手段を配設するとともに、この混合物吐出手段より下側位置で上記上側筒状体の内部を破断可能な上側シート材で閉塞して、この上側シート材上に第１成分を収容し、上記下側筒状体の底壁から混合物吸い上げ用の筒状部を立設するとともに、この筒状部の上側位置で上記下側筒状体の内部を破断可能な下側シート材で閉塞して、この下側シート材下に第２成分を収容している。そして、上記上側筒状体の係合部を下側筒状体の被係合部に係合させた状態で上側筒状体に対して下側筒状体を相対的に進入させることにより、上記両筒状体の少なくとも一方に設けた破断手段で上記両シート材を破断し、上記上側筒状体内の第１成分を流出させて下側筒状体内に流入させるとともに、上記混合物吐出手段の吸い上げ口部に上記筒状部の上端開口部を連結させるように構成している。したがって、内部に第１成分を収容した上側筒状体と、内部に第２成分を収容した下側筒状体とを係合させることにより、１個の容器内に異なる二成分を隔離した状態で収容することができる。
【０００９】
そして、使用時には、上記上側筒状体に対して下側筒状体を相対的に進入させることを行う。これにより、上記両筒状体の少なくとも一方に設けた破断手段で上記両シート材を破断し、上記上側筒状体から第１成分を流出させて下側筒状体内に流入させ、下側筒状体内の第２成分と混合させることができる。また、このとき、上記混合物吐出手段の吸い上げ口部に混合物吸い上げ用の筒状部の上端開口部を連結させることができるため、上記混合物吐出手段を利用し、下側筒状体内の混合物（第１成分と第２成分との混合物）を上記筒状部を介して吸い上げて所望の場所に吐出することができる。
【００１０】
このように、本発明の二成分混合容器では、上記上側筒状体に対して下側筒状体を相対的に進入させるだけで、上側筒状体内の第１成分と下側筒状体内の第２成分とを混合させることができ、混合時の操作が簡単である。しかも、上側筒状体に対して下側筒状体を相対的に進入させることで、上記両筒状体の少なくとも一方に設けた破断手段により、確実に両シート材を破断する（すなわち、開栓する）ことができる。しかも、使用時には、混合物吐出手段を利用して混合物を所望の場所に吐出することができ、簡単に使用することができる。しかも、異なった種類の成分を収容した多数の（多種類の）上側筒状体および下側筒状体を予め用意しておき、これらを適宜組み合わせることで、上記両成分を多種類に組み合わせて収容することができる。なお、本発明の二成分混合容器において、二成分とは、液体，粉末，錠剤等の各成分のなかの、同種類（例えば、液体と液体）もしくは異種類（例えば、液体と粉末、液体と錠剤）の二成分を指す。
【００１１】
また、上記係合部がねじ部で、上記被係合部が、上記ねじ部にら合するねじ部であると、簡単な構造で、上側筒状体に対し下側筒状体を進退自在に構成することができる。
【００１２】
また、上記両筒状体の間にストッパーが固定されていると、このストッパーを取り外さないと、上記両筒状体を相対的に進退させることができないため、誤って上記両筒状体を相対的に進退させるということがなくなる。
【発明を実施するための最良の形態】
【００１３】
つぎに、本発明の実施の形態を図面にもとづいて詳しく説明する。ただし、これに限定されるわけではない。
【００１４】
図１および図２は本発明の二成分混合容器の一実施の形態を示している。この実施の形態では、二成分混合容器として、美容成分等を含有した粉末（第２成分）Ｂを液状化粧料（第１成分）Ａに混合して使用する二成分混合容器（図２参照）が用いられている。これらの図において、１は液状化粧料Ａを収容する有底円筒状の下側筒状体であり、図３に示すように、円筒状に形成された周側壁１１と、この周側壁１１の下端開口部を液密状に閉塞する底壁１２とからなっている。
【００１５】
上記周側壁１１には、その上部外周面に、後述する上側筒状体３のねじ部２３ａにら合するねじ部（被係合部）１１ａが形成されている。また、上記周側壁１１には、その上端部内周面から環状突部１３ａが円環状に突設されているとともに、この環状突部１３ａの上面内周部から円筒部１３ｂが立設されており、この円筒部１３ｂの上端面に、アルミニウム箔等からなる円形の下側シート材１４が接着，固定されている。この下側シート材１４は、上記円筒部１３ｂの上端開口部を液密状に閉塞しており、その下側に（上記周側壁１１内に）液状化粧料Ａが収容されている。また、上記円筒部１３ｂの上端部は、後述する上側シート材２６を破断する破断手段としても作用する。図３において、１１ｂは上記周側壁１１の下端部内周面に形成された係合段部であり、上記底壁１２の係合突部１５ａに外嵌状で回動不能にかつ液密状に係合している。
【００１６】
上記底壁１２は、円盤状に形成された底板部１５と、この底板部１５の上面中央部から立設された円筒状の吸い上げ筒部（混合物吸い上げ用の筒状部）１６とからなり、この吸い上げ筒部１６の中央孔１６ａの上端部内周面に、後述するポンプ装置３１の管状体３３の下端部に外嵌状に係合する円環状段部１７が形成されている。また、上記吸い上げ筒部１６には、その上端面（上記円環状段部１７の外側部分）から所定間隔をあけて複数の突部１８が突設されている。また、上記吸い上げ筒部１６の下端部には１個もしくは複数個（この実施の形態では、２個）の連通孔１６ｂが穿設されており、この連通孔１６ｂを介して上記吸い上げ筒部１６の中央孔１６ａと周側壁１１の内部空間とが連通されている。図３において、１５ａは上記底板部１５の外周面下部から突設された係合突部であり、上記周側壁１１の係合段部１１ｂに内嵌状で回動不能にかつ液密状に係合している。
【００１７】
２は上記両筒状体１，３の間に配設される円環状のストッパーであり、未使用時に上側筒状体３が下降するのを阻止する作用をする。このストッパー２は、図４および図５に示すように、上記下側筒状体１の周側壁１１のねじ部１１ａの下部外周に円環状に巻回される本体部２０（図２参照）と、この本体２１の一側部から突設された引き離し片２１とで構成されており、上記本体部２０の他側部にこれを縦断するようにして切り離し用薄肉部２０ａが形成されている。そして、上記引き離し片２１を外側に引っ張ると、切り離し用薄肉部２０ａが切離して本体部２０を下側筒状体１から取り外すことができるようにしている。
【００１８】
３は粉末Ｂを収容する上側筒状体であり、図６に示すように、円筒状に形成された外側周側壁２３と、この外側周側壁２３に抜け止め状（上下動不能）で回動不能に固定される略円筒状の内側周側壁２４とを備えており、この内側周側壁２４に混合物吐出手段４が固定されている。上記外側周側壁２３には、その中央孔２３ｂの下部に、上記下側筒状体１のねじ部１１ａにら合するねじ部（係合部）２３ａが形成されており、また、上記中央孔２３ｂの上端部から、上記内側周側壁２４の係合突部２４ｂに抜け止め状で回動不能に係合する係合突部２３ｃが突設されている。
【００１９】
上記内側周側壁２４は有天円筒状に形成されており、その下端面には、上記下側筒状体１の円筒部１３ｂが昇降自在に挿入される円環状のガイド溝部２５が形成されている。また、上記内側周側壁２４には、その下端面外周部（上記ガイド溝部２５の外側部分）に、アルミニウム箔等からなる円形の上側シート材２６が接着，固定されている。この上側シート材２６は、上記内側周側壁２４の下端開口部を液密状に閉塞しており、その上側に（上記内側周側壁２４内に）粉末Ｂが収容されている。また、上記内側周側壁２４には、その中央孔２４ａの下端部（上記ガイド溝部２５の下端部に対応する部分）が切欠き形成されており、この切欠き形成から、上記下側シート材１４を破断する複数個の刃部（破断手段）２７が突設されている。図６において、２４ｂは上記外側周側壁２３の係合突部２３ｃに抜け止め状で回動不能に係合する係合突部である。
【００２０】
また、上記内側周側壁２４の天井壁２８には、その外周面から円環状の鍔部２８ａが突設されて上記外側周側壁２３の上端面に載置されている。また、上記天井壁２８には、その中央部に貫通孔２８ｂが穿設されており、この貫通孔２８ｂに、上記混合物吐出手段４が固定されている。また、上記天井壁２８には、その上面から、上記貫通孔２８ｂを取り囲むようにして環状突部２９が突設されており、この環状突部２９内に上記混合物吐出手段４の押しボタン３２が昇降自在に配設されている。
【００２１】
５は有天円筒状に形成された仮キャップであり、未使用時に、押しボタン３２が不用意に押し下げられないように、上記内側周側壁２４の環状突部２９の外周部に着脱自在に冠着されている。
【００２２】
上記混合物吐出手段４は、上記内側周側壁２４の天井壁２８の貫通孔２８ｂに挿通，固定される混合液吐出用のポンプ装置３１（このポンプ装置３１としては、吐出用ノズル３２ａ付き押しボタン３２を有するタイプの、従来公知のものが用いられている）で構成されており、その押しボタン３２が上記天井壁２８の環状突部２９内に昇降自在に配設されている。また、上記ポンプ装置３１には、その下端部に管状体３３が固定されており、この管状体３３内に形成された混合液通路３３ａが、上記ポンプ装置３１の下端面に開口する混合液吸い上げ口（図示せず））に連通している。上記管状体３３は、上記上側シート材２６の近傍位置まで延びており、その下端部は、使用時に吸い上げ筒部１６の円環状段部１７に内嵌状に係合するようになっている（図７参照）。
【００２３】
上記の構成において、使用時には、ストッパー２の引き離し片２１を外側に引っ張ってストッパー２を下側筒状体１から取り外したのち、下側筒状体１と上側筒状体３とを相対的に回動させて両筒状体１，３同士を近付けることを行う（図７および図８参照）。これにより、相対的に回動する下側筒状体１の円筒部１３ｂの上端部で上側シート材２６を破断し、相対的に回動する上側筒状体３の内側周側壁２４の刃部２７で下側シート材１４を破断し、上側筒状体３から粉末Ｂを落下させて下側筒状体１内に流入させ、下側筒状体１内の液状化粧料Ａと混合させることができる。また、このとき、ポンプ装置３１に取り付けた管状体３３の下端部が下側筒状体１の吸い上げ筒部１６の円環状段部１７に係合して管状体３３の混合液通路３３ａと吸い上げ筒部１６の中央孔１６ａとが連結するため、ポンプ装置３１の押しボタン３２を下方に押すことにより、容器内の混合液（粉末Ｂと液状化粧料Ａとの混合液）を、吸い上げ筒部１６の連通孔１６ｂを介して吸い上げ筒部１６の中央孔１６ａに導入し、この中央孔１６ａを吸い上げて管状体３３に導入したのち、ポンプ装置３１を通して吐出用ノズル３２ａから所望の場所に吐出することができる。
【００２４】
このように、上記二成分混合容器によれば、１個の容器に異なる２種類の化粧料等をそれぞれ隔離した状態で収容することができるため、携帯に便利である。しかも、上記筒状体１，３同士を相対的に回動させるだけで、下側筒状体１内の液状化粧料Ａと上側筒状体３内の粉末Ｂとを混合させることができ、混合時の操作が簡単である。しかも、上記筒状体１，３同士を相対的に回動させることで、上記破断手段により確実に上記両シート材１４，１６を破断することができる。しかも、使用時には、ポンプ装置３１を利用して混合液を所望の場所に吐出することができ、簡単に使用することができる。しかも、異なった種類の成分を収容した多数の（多種類の）下側筒状体１，上側筒状体３を予め用意しておき、これらを適宜組み合わせることで、多種類の組み合わを可能にすることができる。しかも、液状化粧料Ａと粉末Ｂを上記両シート材１４，１６で密閉しているため、上記両筒状体１，３に気密手段を設ける必要がない。
【００２５】
図９は本発明の二成分混合容器の他の実施の形態を示している。この実施の形態では、上記実施の形態で用いていたストッパー２を用いていない。また、上記下側筒状体１の構造が一部異なっており、これに伴って外ケース３５を備えている。それ以外の部分は上記実施の形態と同様であり、同様の部分には同じ符号を付している。
【００２６】
上記下側筒状体１には、図１０に示すように、その周側壁１１の下部外周面に、その軸心に沿って上記周側壁１１の下端面から上下方向中間高さまで延びるガイド溝部３６（この実施の形態では、複数本のガイド溝部３６）が突設されている。
【００２７】
一方、上記外ケース３５は、図１１に示すように、有底円筒状に形成されており、その周側壁３７の下部内周面の、上記ガイド溝部３６に対応する部分に、上記周側壁３７の軸心に沿ってその下端面（すなわち、上記外ケース３５の底壁の上面）から上下方向中間高さまで延びるガイド突条３８（この実施の形態では、複数本のガイド突条３８）が突設されている。そして、上記ガイド突条３８が上記ガイド溝部３６に昇降自在にかつ上記周側壁３７の周方向に回動不能に係合している。したがって、使用時に、上記外ケース３５と上側筒状体３とを相対的に回動させると、上記下側筒状体１は外ケース３５内を上昇して上側筒状体３に近付き（図１２参照）、上記実施の形態と同様の作用・効果を奏する。しかも、開栓時に上側筒状体３と外ケース３５との間に隙間ができず、見栄えがよいうえ、手を挟むこともない。
【００２８】
なお、上記両実施の形態では、第１成分として液状化粧料Ａを用い、第２成分として粉末Ｂを用いているが、これに限定するものではなく、第１成分として、粉末Ｂや錠剤を用いてもよいし、第２成分として、液体や錠剤を用いてもよい。また、上記両実施の形態において、混合物吐出手段４は、下側筒状体１内の混合物（液体，粉末，錠剤等からなる各種の混合物）を吐出できるものであれば、どのようなものでもよい。また、ポンプ装置３１としては、好適には、指圧式のものが用いられるが、指圧式以外の、どのようなものを用いてもよいし、押しボタン３２にノズル３２ａが設けられていなくてもよい。
【００２９】
また、上記両実施の形態では、上側筒状体３の係合部としてねじ部２３ａを形成し、下側筒状体１の被係合部としてねじ部１１ａを形成しているが、上側筒状体３と下側筒状体１とを進退自在に連結することができるものであれば、どのような係合部，被係合部でもよい。また、上記両実施の形態では、上下両シート材１４，２６をアルミニウム箔で構成しているが、刃や凸部等で容易に破断しうるものであれば、どのようなものでもよい。
【図面の簡単な説明】
【００３０】
【図１】本発明の二成分混合容器の一実施の形態を示す正面図である。
【図２】上記二成分混合容器の断面図である。
【図３】下側筒状体の断面図である。
【図４】ストッパーの断面図である。
【図５】上記ストッパーの平面図である。
【図６】上側筒状体の断面図である。
【図７】上記二成分混合容器の作用を示す断面図である。
【図８】上記二成分混合容器の作用を示す正面図である。
【図９】本発明の二成分混合容器の他の実施の形態を示す断面図である。
【図１０】下側筒状体の断面図である。
【図１１】外ケースの断面図である。
【図１２】上記二成分混合容器の作用を示す断面図である。
【図１３】従来例を示す分解断面図である。
【図１４】上記従来例の作用を示す断面図である。
【符号の説明】
【００３１】
１  下側筒状体
３  上側筒状体
４  混合物吐出手段
１１ａ  ねじ部
１２  底壁
１４  下側シート材
１６  吸い上げ筒部
２３ａ  ねじ部
２６  上側シート材
Ａ  液状化粧料
Ｂ  粉末
【図１】
0004694360.tif 000002
【図２】
0004694360.tif 000003
【図３】
0004694360.tif 000004
【図４】
0004694360.tif 000005
【図５】
0004694360.tif 000006
【図６】
0004694360.tif 000007
【図７】
0004694360.tif 000008
【図８】
0004694360.tif 000009
【図９】
0004694360.tif 000010
【図１０】
0004694360.tif 000011
【図１１】
0004694360.tif 000012
【図１２】
0004694360.tif 000013
【図１３】
0004694360.tif 000014
【図１４】
0004694360.tif 000015